(57)【要約】【課題】  放送用素材の登録時に通信障害が発生しても、被制御機器を不要に確保することなく、より安全に被制御機器を開放でき、効率良く登録作業を行うことのできるバンクシステムの実現。【解決手段】  営放よりＬＡＮを介して所定の放送用素材の登録指示を受け、送出バンクシステム内のビデオサーバへ所定の放送用素材を登録し、送出制御装置からの送出制御に基づき登録した放送用素材の送出を行う送出バンクシステムにおいて、所定の放送用素材の登録時、必要とする被制御機器を確保した後に、ＬＡＮに障害が発生した場合、送出バンクシステム内の操作端末からコントローラに対し、不要に確保されたままとなった被制御機器の開放指示を行い、該コントローラより不要に確保していた被制御機器を開放するよう構成したものである。【選択図】  図１
2006101278.tif 000002
【特許請求の範囲】
【請求項１】
営放よりＬＡＮを介して所定の放送用素材の登録指示を受け、送出バンクシステム内のビデオサーバへ上記所定の放送用素材を登録し、送出制御装置からの送出制御に基づき登録した放送用素材の送出を行う送出バンクシステムにおいて、上記所定の放送用素材の登録時、必要とする被制御機器を確保した後に、上記ＬＡＮに障害が発生した場合、上記送出バンクシステム内の操作端末からコントローラに対し、上記不要に確保されたままとなった被制御機器の開放指示を行い、該コントローラより不要に確保していた上記被制御機器を開放するよう構成したことを特徴とする送出バンクシステム。
【請求項２】
請求項１において、上記被制御機器の開放操作時、上記操作端末の画面上に確認ダイアログを表示し、上記被制御機器開放の誤操作を防ぐようにしたことを特徴とする送出バンクシステム。
【請求項３】
請求項１乃至２において、上記被制御機器の開放操作時、開放を行う上記コントローラは、事前に他のコントローラへ各被制御機器の使用状況を問合せ、使用中でない被制御機器を開放するよう構成したことを特徴とする送出バンクシステム。
【発明の詳細な説明】
【技術分野】
【０００１】
本発明は、テレビ番組や広告(ＣＭ)、提供元(スポンサー)といった放送用素材の登録・送出を行う送出バンクシステムに関し、特に、放送用素材登録の操作性向上に関するものである。
【背景技術】
【０００２】
一般的な放送用の送出バンクシステムは、営放、送出制御装置、送出バンクシステムで構成されている。  ここで、営放は、放送局の営業・編成・放送までを一貫して管理するコンピュータシステムであり、送出制御装置は、コンピュータによる自動放送システムである。
図４に従来の送出バンクシステム（例えば特許文献１参照）の概要を示し、簡単に説明する。  送出バンクシステム１０３は、営放１０１よりＬＡＮ１１１、ルータ１１０を介して放送用素材の登録指示を受け、送出バンクシステム１０３内のビデオサーバ１０５へ素材を登録し、送出制御装置１０２からの送出制御に基づき、登録した放送用素材の送出を行う。
ここで、送出バンクシステム１０３の放送用素材登録時の動作について説明する。この登録作業は、送出バンクシステム１０３内の登録・プレビュー卓１０９で行う。
この登録の流れは、次の通りである。
(1)営放１０１から放送用素材の登録指示についての登録データを受信する。
(2)登録・プレビュー卓１０９で、操作者によりコントローラ１０６に登録指示を行う。
(3)送出バンクシステム１０３内のコントローラ１０６により、登録作業に必要とする各機器(被制御機器)を制御し、ＶＴＲ１０４等からの放送用素材をビデオサーバ１０５へ登録する。
(4)登録した素材をプレビューし、問題がなければ登録済とする。
(5)送出バンクシステム１０３は、営放１０１へ素材の登録結果データを送信する。
ここで、登録データファイル、登録結果データファイルを送受信するための営放１０１−送出バンクシステム１０３間インタフェースはＬＡＮ１１１であり、ＬＡＮ１１１の通信障害時は、ＭＯ等のメディアを使用することになる。
【特許文献１】特開２００３−２５８７５０公報
【発明の開示】
【発明が解決しようとする課題】
【０００３】
図４に示す従来の送出バンクシステムでは、登録・プレビュー卓１０９が、送出バンクシステム１０３内にあるため、放送用素材の登録時、被制御機器を確保した後に、ＬＡＮ１１１に通信障害が発生した場合、送出バンクシステム１０３では通信障害を検知できず、営放１０１からの指示を待つ状態となる。このため、不要に被制御機器を確保し続けることになり、営放１０１から新たなログイン、登録指示を受けても、新たに被制御機器を確保できないため、営放１０１へ登録不可の応答を返すこととなる。
上記のように、従来の送出バンクシステムでは、放送用素材の登録時に通信障害が発生した場合、不要に確保している被制御機器を開放することができない。
本発明はこれらの欠点を除去し、放送用素材の登録時に通信障害が発生しても、被制御機器を不要に確保することなく、より安全に被制御機器を開放でき、効率良く登録作業を行うことのできるバンクシステムの実現を目的とする。
【課題を解決するための手段】
【０００４】
本発明は上記目的を達成するため、営放よりＬＡＮを介して所定の放送用素材の登録指示を受け、送出バンクシステム内のビデオサーバへ上記所定の放送用素材を登録し、送出制御装置からの送出制御に基づき登録した放送用素材の送出を行う送出バンクシステムにおいて、上記所定の放送用素材の登録時、必要とする被制御機器を確保した後に、上記ＬＡＮに障害が発生した場合、上記送出バンクシステム内の操作端末からコントローラに対し、上記不要に確保されたままとなった被制御機器の開放指示を行い、該コントローラより不要に確保していた上記被制御機器を開放するよう構成したものである。
また、上記被制御機器の開放操作時、上記操作端末の画面上に確認ダイアログを表示し、上記被制御機器開放の誤操作を防ぐようにしたものである。
また、上記被制御機器の開放操作時、開放を行う上記コントローラは、事前に他のコントローラへ各被制御機器の使用状況を問合せ、使用中でない被制御機器を開放するよう構成したものである。
【発明の効果】
【０００５】
本発明によれば、放送用素材の登録時に通信障害が発生しても被制御機器を不要に確保することなく、効率良く登録作業を行うことのできるバンクシステムを実現できる。
また、開放操作時、画面上でダイアログによる確認、事前に各コントローラへ問合せを行うことで、より安全に被制御機器を開放できる。
【発明を実施するための最良の形態】
【０００６】
図１に本発明の送出バンクシステムの概要を示す。従来の送出バンクシステムと異なる点は、登録・プレビュー卓２０９が営放２０１内にある点である。この変更により、営放２０１−送出バンクシステム２０３間インタフェースの内容は、従来のファイルデータではなく、登録制御となり、通信インタフェースはＬＡＮ２１１のみとなる。
本発明の通常時における放送用素材登録の流れを図２に示し説明する。  営放２０１内にある登録・プレビュー卓２０９からの登録指示を受けると、送出バンクシステム２０３内のコントローラ２０６は、ビデオサーバ２０５等の必要な被制御機器を確保し、登録制御を行う。
登録が終了すると、登録・プレビュー卓２０９へ登録終了を通知すると共に、確保していた被制御機器を開放する。ここで、確保・開放等、被制御機器の使用状況は送出バンクシステム２０３内で一括して管理している。
【０００７】
次に、登録時、被制御機器を確保した後に、通信インタフェースであるＬＡＮ２１１に障害が発生した場合を想定し、その場合の登録の流れについて、以下説明する。
登録・プレビュー卓２０９は、ＬＡＮ２１１の障害を検知すると、その時点で実行していた登録作業の内容を無効とし、障害復帰後、新たなログインにより登録制御を行うことができる。  しかし、送出バンクシステム２０３では、この通信障害を検知できず、営放２０１からの指示を待つ状態となるため、上記通常時と同じ動作では、不要に被制御機器を確保し続けることになる。このため、営放２０１から新たなログイン、登録指示を受けても、新たに被制御機器を確保できないため、営放２０１へ登録不可の応答を返すこととなる。
そこで本発明では、ＬＡＮ２１１に通信障害が発生した場合、図３に示す様に、監視卓２０８等の操作端末からコントローラ２０６に対し、通信障害等により不要に確保されたままとなった被制御機器の開放指示を行う。
操作端末から被制御機器の開放通知を受けたコントローラ２０６は、不要に確保していた被制御機器を開放する。
この際、安全に被制御機器を開放するため、次の処理を行う。  操作端末では、監視卓２０８等の操作画面上で被制御機器の開放を指示されると、ダイアログを表示し開放内容を確認する。
また、開放を行うコントローラ２０６は、被制御機器を開放する前に、複数台設置してある他のコントローラに使用状況を問い合わせ、開放しようとする被制御機器が使用中でないかを確認し、使用中でなければ開放を行う。
【図面の簡単な説明】
【０００８】
【図１】本発明の送出バンクシステムの概要を示すブロック図
【図２】本発明の通常時における放送用素材登録の流れを示す模式図
【図３】本発明の通信障害時における放送用素材登録の流れを示す模式図
【図４】従来の送出バンクシステムの概要を示すブロック図
【符号の説明】
【０００９】
２０１：営放、２０２：送出制御装置、２０３：送出バンクシステム、２０４：ＶＴＲ、２０５：ビデオサーバ、２０６：コントローラ、２０７：データサーバ、２０８：監視卓、２０９：登録・プレビュー卓、２１１：ＬＡＮ。
【図１】
2006101278.tif 000003
【図２】
2006101278.tif 000004
【図３】
2006101278.tif 000005
【図４】
2006101278.tif 000006